(57)【特許請求の範囲】
【請求項１】
表示手段が表示する画像データを含む複数の映像信号を取得するための複数の入力端子を有する画像取得手段と、
前記複数の映像信号それぞれの特性を検出する検出手段と、
前記検出手段が検出した前記特性に基づいて、前記複数の映像信号を一以上のグループに分類する分類手段と、
前記一以上のグループに関連付けられた前記表示手段の表示モードを示す情報を出力する出力手段を有し、
前記出力手段は、前記表示モードの種別に応じて異なる態様で、前記一以上のグループから一つのグループを選択する操作を受け付けるための画面データを出力することを特徴とする電子機器。
【請求項２】
前記分類手段は、前記検出手段が同一の前記特性を検出した映像信号を同一のグループに分類することを特徴とする請求項１に記載の電子機器。
【請求項３】
前記分類手段は、前記検出手段が垂直同期信号の周波数が同一であることを検出した映像信号を同一のグループに分類することを特徴とする請求項２に記載の電子機器。
【請求項４】
前記分類手段は、前記検出手段が垂直同期信号の周波数及び解像度が同一であることを検出した映像信号を同一のグループに分類することを特徴とする請求項２又は３に記載の電子機器。
【請求項５】
前記一以上のグループそれぞれに含まれる前記映像信号の数に基づいて、前記一以上のグループそれぞれに関連付ける前記表示モードの種別を決定する決定手段を有することを特徴とする請求項１から４のいずれか一項に記載の電子機器。
【請求項６】
前記一以上のグループそれぞれに含まれる前記映像信号が入力される前記入力端子の種別に基づいて、前記表示モードの種別を決定する決定手段を有することを特徴とする請求項１から４のいずれか一項に記載の電子機器。
【請求項７】
前記決定手段は、前記グループに含まれる前記映像信号の数が所定の数に等しい場合に前記表示モードの種別を推奨表示モードに決定し、前記グループに含まれる前記映像信号の数が前記所定の数よりも少ない場合に、前記表示モードの種別を準推奨表示モードに決定することを特徴とする請求項５又は６に記載の電子機器。
【請求項８】
前記入力端子に関連付けて、前記入力端子に入力される前記映像信号の特性、前記入力端子が属する前記グループの識別情報、及び当該グループに関連付けられた前記表示モードの種別を記憶する記憶手段を有することを特徴とする請求項１から７のいずれか一項に記載の電子機器。
【請求項９】
前記出力手段は、前記表示モードの種別が所定の条件を満たす前記一以上のグループを選択させるための操作画像を含む前記画面データを出力することを特徴とする請求項１から８のいずれか一項に記載の電子機器。
【請求項１０】
前記出力手段は、前記グループに含まれる前記映像信号の数が所定の数よりも少ない場合に警告情報を含む前記画面データを出力することを特徴とする請求項１から９のいずれか一項に記載の電子機器。
【請求項１１】
前記出力手段は、前記一以上のグループから選択された選択グループに関連付けられた前記表示モードにより、前記選択グループに含まれる前記複数の映像信号を出力することを特徴とする請求項１から１０のいずれか一項に記載の電子機器。
【請求項１２】
前記出力手段は、前記選択グループに含まれる前記複数の映像信号の数と、前記複数の映像信号の解像度とに基づいて決定した配置で、前記複数の映像信号に基づく画像データを出力することを特徴とする請求項１１に記載の電子機器。
【請求項１３】
前記出力手段は、前記選択グループに含まれる前記複数の映像信号に基づく複数の画像データの外周から所定の範囲内の画素データの相関関係に基づいて決定した配置で、前記複数の画像データを出力することを特徴とする請求項１１又は１２に記載の電子機器。
【請求項１４】
前記出力手段は、前記選択グループに含まれる前記複数の映像信号に基づく複数の画像データに含まれるオブジェクトの動きに基づいて決定した配置で、前記複数の画像データを出力することを特徴とする請求項１１から１３のいずれか一項に記載の電子機器。
【請求項１５】
画像を表示する表示手段と、
前記表示手段が表示する画像データを含む複数の映像信号を取得するための複数の入力端子を有する画像取得手段と、
前記複数の映像信号それぞれの特性を検出する検出手段と、
前記検出手段が検出した前記特性に基づいて、前記複数の映像信号を一以上のグループに分類する分類手段と、
前記一以上のグループに関連付けられた前記表示手段の表示モードを示す情報を前記表示手段に出力する出力手段を有し、
前記出力手段は、前記表示モードの種別に応じて異なる態様で、前記一以上のグループから一つのグループを選択する操作を受け付けるための画面データを出力することを特徴とする表示装置。
【請求項１６】
表示手段に表示させる画像データを含む複数の映像信号を取得するステップと、
前記複数の映像信号それぞれの特性を検出するステップと、
検出した前記特性に基づいて、前記複数の映像信号を一以上のグループに分類するステップと、
前記一以上のグループに関連付けられた前記表示手段の表示モードを示す情報を前記表示手段に出力するステップを含み、
前記表示モードの種別に応じて異なる態様で、前記一以上のグループから一つのグループを選択する操作を受け付けるための画面データを出力することを特徴とする表示制御方法。
【請求項１７】
表示手段が表示する画像データを含む複数の映像信号を取得するための複数の入力端子を有する画像取得手段と、
前記複数の映像信号それぞれの特性を検出する検出手段と、
前記検出手段が検出した前記特性に基づいて、前記複数の映像信号を一以上のグループに分類する分類手段と、
前記一以上のグループに関連付けられた前記表示手段の表示モードを示す情報を出力する出力手段と、
前記一以上のグループそれぞれに含まれる前記映像信号が入力される前記入力端子の種別に基づいて、前記表示モードの種別を決定する決定手段を有することを特徴とする電子機器。
【請求項１８】
前記決定手段は、前記グループに含まれる前記映像信号の数が所定の数に等しい場合に前記表示モードの種別を推奨表示モードに決定し、前記グループに含まれる前記映像信号の数が前記所定の数よりも少ない場合に、前記表示モードの種別を準推奨表示モードに決定することを特徴とする請求項１７に記載の電子機器。
【請求項１９】
表示手段が表示する画像データを含む複数の映像信号を取得するための複数の入力端子を有する画像取得手段と、
前記複数の映像信号それぞれの特性を検出する検出手段と、
前記検出手段が検出した前記特性に基づいて、前記複数の映像信号を一以上のグループに分類する分類手段と、
前記一以上のグループに関連付けられた前記表示手段の表示モードを示す情報を出力する出力手段と、
前記一以上のグループそれぞれに含まれる前記映像信号の数に基づいて、前記一以上のグループそれぞれに関連付ける前記表示モードの種別を決定する決定手段を有し、
前記決定手段は、前記グループに含まれる前記映像信号の数が所定の数に等しい場合に前記表示モードの種別を推奨表示モードに決定し、前記グループに含まれる前記映像信号の数が前記所定の数よりも少ない場合に、前記表示モードの種別を準推奨表示モードに決定することを特徴とする電子機器。
【発明の詳細な説明】
【技術分野】
【０００１】
本発明は、映像信号の入力を受ける電子機器及び表示装置、並びにこれらの電子機器及び表示装置における表示制御方法に関するものである。
【背景技術】
【０００２】
大画面の表示装置に画像を表示するために、画面を構成する複数の領域に対応する複数の映像信号を入力する方法が知られている。特許文献１には、４つの入力端子に入力される４つの映像信号に含まれる画像データの解像度が等しい場合に、４つの映像信号に対応する４つの画像を画面の中央で結合して表示する表示装置が開示されている。
【先行技術文献】
【特許文献】
【０００３】
【特許文献１】特開２０１１−６４８５７号公報
【発明の概要】
【発明が解決しようとする課題】
【０００４】
従来の表示装置は、ユーザが、結合して表示させたくない映像信号を入力しているにもかかわらず、複数の映像信号に含まれる画像の解像度が等しい場合には、複数の画像が自動的に結合された態様で表示してしまう。したがって、ユーザは、意思に反した態様の画像が表示された後に、所望の表示態様にするために各種の設定変更を行う操作をしなければならないので、所望の態様で画像を表示するまでに長時間を要してしまうという問題があった。
【０００５】
そこで、本発明は上述した点に鑑みてなされたものであり、複数の映像信号に基づく画像データの表示態様を選択しやすくすることを目的とする。
【課題を解決するための手段】
【０００６】
上記の課題を解決するために、本発明の電子機器は、表示手段が表示する画像データを含む複数の映像信号を取得するための複数の入力端子を有する画像取得手段と、前記複数の映像信号それぞれの特性を検出する検出手段と、前記検出手段が検出した前記特性に基づいて、前記複数の映像信号を一以上のグループに分類する分類手段と、前記一以上のグループに関連付けられた前記表示手段の表示モードを示す情報を出力する出力手段を有し、前記出力手段は、前記表示モードの種別に応じて異なる態様で、前記一以上のグループから一つのグループを選択する操作を受け付けるための画面データを出力することを特徴とする。
【０００７】
本発明の表示装置は、画像を表示する表示手段と、前記表示手段が表示する画像データを含む複数の映像信号を取得するための複数の入力端子を有する画像取得手段と、前記複数の映像信号それぞれの特性を検出する検出手段と、前記検出手段が検出した前記特性に基づいて、前記複数の映像信号を一以上のグループに分類する分類手段と、前記一以上のグループに関連付けられた前記表示手段の表示モードを示す情報を前記表示手段に出力する出力手段を有し、前記出力手段は、前記表示モードの種別に応じて異なる態様で、前記一以上のグループから一つのグループを選択する操作を受け付けるための画面データを出力することを特徴とする。
【０００８】
本発明の表示制御方法は、表示手段に表示させる画像データを含む複数の映像信号を取得するステップと、記複数の映像信号それぞれの特性を検出するステップと、検出した前記特性に基づいて、前記複数の映像信号を一以上のグループに分類するステップと、前記一以上のグループに関連付けられた前記表示手段の表示モードを示す情報を前記表示手段に出力するステップを含み、前記表示モードの種別に応じて異なる態様で、前記一以上のグループから一つのグループを選択する操作を受け付けるための画面データを出力することを特徴とする。
【発明の効果】
【０００９】
本発明によれば、複数の映像信号に基づく画像データの表示態様を選択しやすくすることができるという効果を奏する。
【図面の簡単な説明】
【００１０】
【図１】第１の実施形態に係る表示装置１の構成図である。
【図２】表示モードの一例を示す図である。
【図３】表示モード選択メニュー画面の一例を示す図である。
【図４】推奨表示モード判定部１７０における推奨表示モード判定フローである。
【図５】推奨表示モード判定部１７０における表示モード判定フロー１である。
【図６】推奨表示モード判定部１７０における表示モード判定フロー２である。
【図７】推奨表示モード判定部１７０における表示モード判定フロー３である。
【図８】推奨表示モード判定部１７０における表示モード判定フロー４である。
【図９】実施例１の端子属性テーブルを示す図である。
【図１０】実施例１の表示モード選択メニューを示す図である。
【図１１】実施例２の端子属性テーブルを示す図である。
【図１２】実施例２の表示モード選択メニューを示す図である。
【図１３】実施例３の端子属性テーブルを示す図である。
【図１４】実施例３の表示モード選択メニューを示す図である。
【図１５】実施例４の端子属性テーブルを示す図である。
【図１６】実施例４の表示モード選択メニューを示す図である。
【図１７】第２の実施形態に係る表示装置２の構成図である。
【図１８】画素の連続性に基づいて４つの画像データを決定する処理の例を示す図である。
【図１９】オブジェクトの動きに基づいて４つの画像データの配置を決定する処理の例を示す図である。
【発明を実施するための形態】
【００１１】
＜第１の実施形態＞
以下に、本発明の好ましい実施の形態を、添付の図面に基づいて詳細に説明する。本発明は、液晶プロジェクタ装置、ＤＬＰ（Digital Light Processing）プロジェクタ又は液晶ディスプレイ装置等の電子機器に適用可能である。
【００１２】
［表示装置１の構成］
図１は、第１の実施形態に係る表示装置１の構成図である。表示装置１は、表示部１１０、映像入力部１２０、検出部１３０、画像結合部１４０、グループ判定部１５０、端子属性メモリ１６０、推奨表示モード判定部１７０及び出力制御部１８０を有するディスプレイである。検出部１３０、画像結合部１４０、グループ判定部１５０、推奨表示モード判定部１７０及び出力制御部１８０は、例えば、ＲＯＭ（Read Only Memory）又はハードディスク等の記憶媒体に記憶されたプログラムを実行するＣＰＵ（Central Processing Unit）によって制御される。
【００１３】
表示部１１０は、入力された映像信号に含まれる画像データを出力する表示手段であり、例えば液晶ディスプレイである。本実施形態においては、表示部１１０の水平解像度が３８４０であり、垂直解像度が２１６０であるとする。
【００１４】
映像入力部１２０は、表示部１１０が表示する画像データを含む複数の映像信号が入力される複数の入力端子を有する画像取得手段である。映像入力部１２０は、コンピューター等からの複数の映像信号を取得するための複数の入力端子を有する。映像入力部１２０は、ＤＶＩ−Ａ１２１、ＤＶＩ−Ｂ１２２、ＤＶＩ−Ｃ１２３、ＤＶＩ−Ｄ１２４、ＨＤＭＩ−Ｘ１２５、ＨＤＭＩ−Ｙ１２６（ＨＤＭＩは登録商標）の６つの端子を有している。
【００１５】
検出部１３０は、映像入力部１２０に入力された複数の映像信号それぞれの特性を検出する検出手段である。検出部１３０は、例えば、映像入力部１２０が有する各入力端子に入力された映像信号の垂直同期信号周波数（以下、垂直同期周波数という）を検出する。また、検出部１３０は、入力された映像信号の水平同期信号周波数（以下、水平同期周波数という）及び映像信号に含まれる画像データの解像度を検出してもよい。
【００１６】
検出部１３０は、６つの入力端子の各々に対応する検出部１３１、検出部１３２、検出部１３３、検出部１３４、検出部１３５及び検出部１３６を有している。検出部１３１〜１３６は、各入力端子からの垂直同期信号が同期しているかどうかの判定が行えるだけの精度で、垂直同期周波数を検出する。同様に、検出部１３１〜１３６は、各入力端子からの水平同期信号が同期しているかどうかの判定が行えるだけの精度で、水平同期周波数を検出してもよい。なお、同期している状態には、各入力端子からの垂直同期信号又は水平同期信号の変化タイミングが一致している状態だけでなく、複数の垂直同期信号間の遅延量又は複数の水平同期信号間の遅延量が一定となっている状態も含む。
【００１７】
画像結合部１４０は、複数の入力端子から入力された複数の映像信号に含まれる複数の画像データを、出力制御部１８０によって指定された位置に配置して結合することにより、一つの結合画像データを生成する。画像結合部１４０は、２つの一次画像結合部１４１と、二次画像結合部１４２と、結合制御部１４３とを有する。画像結合部１４０は、ユーザにより選択された表示部１１０の表示モードに対応する態様で複数の画像データを結合することにより結合画像データを生成する。
【００１８】
一次画像結合部１４１は、映像信号の信号源と接続された３つの入力端子からの映像信号に基づいて、以下の３種類の表示モードのうち、結合制御部１４３により指定された表示モードで画像データを結合し、結合した合成画像データを経路１４４及び経路１４５に出力する。
・１信号選択モード：選択された１つの映像信号に含まれる画像データのみをそのまま出力する。
・２信号水平結合モード：選択された２つの映像信号に含まれる画像データを水平方向に結合して出力する。
・２信号垂直結合モード：選択された２つの映像信号に含まれる画像データを垂直方向に結合して出力する。
上記の表示モードは例示的なものであり、一次画像結合部１４１は、他の表示モードで画像を結合してもよい。
【００１９】
二次画像結合部１４２は、結合制御部１４３から指定された表示モードに基づいて、接続された２つの経路１４４及び経路１４５から入力された合成画像データを、１信号選択モード又は２信号結合モードのいずれかのモードで処理する。１信号選択モードは、合成画像データのいずれか１つを選択して出力するモードであり、２信号結合モードは、２つの合成画像データを結合して出力するモードである。
結合制御部１４３は、出力制御部１８０からの表示モード設定指示に応じて、２つの一次画像結合部１４１及び二次画像結合部１４２の制御を行う。
【００２０】
図２は、表示モードの一例を示す図である。表示装置１は、表示モードとして、１入力モード、左右２分割入力モード、短冊４分割入力モード、田の字４分割入力モードを有する。１入力モードは、表示装置１が単一の入力端子に入力された画像２０１を表示するモードであり、全ての入力端子が対応する。左右２分割入力モードは、表示装置１が左側画像２０２と右側画像２０３とを結合して表示するモードである。左右２分割入力モードにおいて表示可能な２つの入力端子の組み合わせは、以下の３種類である。
・左側画像２０２にＤＶＩ−Ａ１２１、右側画像２０３にＤＶＩ−Ｃ１２３
・左側画像２０２にＤＶＩ−Ｂ１２２、右側画像２０３にＤＶＩ−Ｄ１２４
・左側画像２０２にＨＤＭＩ−Ｘ１２５、右側画像２０３にＨＤＭＩ−Ｙ１２６
本実施形態の表示装置１は、上記の組み合わせ以外の組み合わせでは画像データを表示できないものとする。
【００２１】
短冊４分割入力モードは、表示装置１が、画像２０４を左端に、画像２０５をその右側に、画像２０６をその右側に、画像２０７を右端として水平方向に結合して表示するモードである。対応する入力端子の組み合わせとしては、画像２０４〜２０７のそれぞれを、ＤＶＩ−Ａ１２１、ＤＶＩ−Ｂ１２２、ＤＶＩ−Ｃ１２３、ＤＶＩ−Ｄ１２４とする組み合わせのみである。
【００２２】
田の字４分割入力モードは、表示装置１が左上、左下、右上、右下の４つの領域に画像を表示させるモードである。田の字４分割入力モードにおいては、表示部１１０は、画像２０８を左上に、画像２０９を左下に、画像２１０を右上に、画像２１１を右下として水平方向及び垂直方向に結合して表示する。対応する入力端子の組み合わせは、ＤＶＩ−Ａ１２１、ＤＶＩ−Ｂ１２２、ＤＶＩ−Ｃ１２３、ＤＶＩ−Ｄ１２４から入力された４つの映像信号に基づく組み合わせだけである。
【００２３】
グループ判定部１５０は、検出部１３０が検出した各映像信号の特性に基づいて、複数の映像信号それぞれが属するグループを判定することにより、複数の映像信号を一以上のグループに分類する分類手段である。グループ判定部１５０は、検出部１３０が同一の特性を検出した映像信号を同一のグループに分類する。例えば、グループ判定部１５０は、複数の入力端子のうち、検出部１３０が検出した垂直同期周波数が等しい映像信号が入力された入力端子を１つのグループにするように振り分けることにより、複数の入力端子を一以上のグループに分類する。
【００２４】
なお、グループ判定部１５０は、垂直同期周波数を用いるだけでなく、垂直同期周波数及び水平同期周波数の両方が同一であることを検出部１３０が検出した映像信号を同一のグループに振り分けることで、分類の精度を向上させてもよい。また、グループ判定部１５０は、垂直同期周波数及び解像度の両方が同一であることを検出部１３０が検出した映像信号を同一のグループに振り分けることで、分類の精度を向上させてもよい。
【００２５】
グループ判定部１５０は、グループごとに所属グループ識別子を割り当てて、入力端子に関連付けて、入力端子に入力される映像信号に含まれる画像データの解像度、垂直同期周波数及び所属グループ識別子を端子属性メモリ１６０に出力する。同一信号源から分割して出力された映像信号は同期した状態になっているので、グループ判定部１５０は、垂直同期周波数に基づいて入力端子を一以上のグループに分類することで、同一信号源から出力された映像信号が入力されている入力端子を同じグループに分類することができる。グループ判定部１５０は、水平同期周波数に基づいて入力端子を一以上のグループに分類する場合、映像信号に含まれる水平同期周波数を端子属性メモリ１６０に出力してもよい。
【００２６】
端子属性メモリ１６０は、入力端子に関連付けて、入力端子に入力される映像信号の特性、入力端子が属するグループの識別情報、及び当該グループに関連付けられた表示モードの種別を記憶する記憶手段である。具体的には、端子属性メモリ１６０は、入力端子に関連付けて、入力解像度、垂直同期周波数、水平同期周波数及び所属グループ識別子を記憶する。
【００２７】
また、端子属性メモリ１６０は、表示モードの種別として、入力端子に入力される映像信号に基づく画像データを表示するために推奨される表示モードを示す推奨表示モード情報と、推奨表示モードにおいて表示される際の解像度とを、入力端子に関連付けて記憶する。端子属性メモリ１６０は、さらに、表示モードの種別として、二番目に推奨される表示モードを示す準推奨表示モード情報と、準推奨表示モードにおいて表示される際の解像度とを記憶してもよい。
【００２８】
推奨表示モード判定部１７０は、一以上のグループそれぞれに含まれる映像信号の数に基づいて、一以上のグループそれぞれで使用可能な表示モードの種別を決定する決定手段である。推奨表示モード判定部１７０は、一以上のグループそれぞれに含まれる映像信号が入力される入力端子の種別に基づいて、使用可能な表示モードの種別を決定する決定手段として機能してもよい。なお、推奨表示モード判定部１７０は、映像信号の数及び映像信号が入力される入力端子の種別の両方に基づいて、使用可能な表示モードの種別を決定してもよい。推奨表示モード判定部１７０は、使用可能な表示モードがあるグループに対して、ユーザに最も推奨する推奨表示モード、又はユーザに二番目に推奨する準推奨表示モードを割り当てる。
【００２９】
推奨表示モード判定部１７０は、グループに含まれる映像信号の数が所定の数に等しい場合に、グループに対応する表示モードを推奨表示モードに決定し、グループに含まれる映像信号の数が上記の所定の数よりも少ない場合に、グループに対応する表示モードを準推奨表示モードに決定する。推奨表示モード判定部１７０は、例えば、組み合わせて使用される４つの入力端子に同一の特性の４つの映像信号が入力されている場合に、４つの入力端子が所属するグループの表示モードとして、４分割入力モードを推奨表示モードとする。また、推奨表示モード判定部１７０は、組み合わせて使用される４つの入力端子に同一の特性の３つの映像信号が入力されている場合に、４分割入力モードを準推奨表示モードとする。
【００３０】
推奨表示モード判定部１７０は、入力される映像信号に含まれる画像データの特性にさらに基づいて、使用可能な表示モードを決定してもよい。推奨表示モード判定部１７０は、端子属性メモリ１６０に記憶された、入力端子毎の水平解像度、垂直解像度、垂直同期周波数、水平同期周波数及び所属グループ識別子等のパラメータを読み出して、推奨表示モード判定フローにより、各入力端子の推奨表示モードを判定する。
【００３１】
より好ましくは、推奨表示モード判定部１７０は、準推奨表示モードの判定、結合時の解像度の算出、及び降格理由の特定を並行して実行する。降格理由は、グループの表示モードが推奨表示モードではなく準推奨表示モードになっている理由であり、例えば、グループ内に所定の数の映像信号が含まれていないことである。推奨表示モード判定部１７０は、判定した推奨表示モードを示す推奨表示モード情報と、算出した結合時の解像度とを端子属性メモリ１６０に保存する。
【００３２】
本実施形態においては、説明を簡単にするために図２に示す表示モードの種別を想定しているが、表示モードの種別は図２に示す例に限定されるものではない。推奨表示モード判定部１７０は、探索する表示モードの種別をより多くしたり、画像結合部１４０が対応する表示モードに限定したりしてもよい。
【００３３】
出力制御部１８０は、表示部１１０にどのような画面を表示させるかを制御する。例えば、出力制御部１８０は、一以上のグループに関連付けられた表示モードを示す情報を表示部１１０に出力する出力手段として機能する。具体的には、出力制御部１８０は、ユーザに表示モードの選択を行わせるためのメニューを表示部１１０に表示させる。さらに、出力制御部１８０は、ユーザの操作に基づいて、表示させたメニューに含まれる複数の表示モードから一つの表示モードを選択する。
【００３４】
また、出力制御部１８０は、ユーザにより選択された表示モードを画像結合部１４０に通知する。出力制御部１８０は、一以上のグループからユーザにより選択された選択グループに関連付けられた表示モードにおける画像データの結合態様に基づいて、選択グループに含まれる複数の映像信号を画像結合部１４０から取得し、取得した複数の映像信号を合成して表示部１１０に出力する。この際、出力制御部１８０は、選択グループに含まれる複数の映像信号の数と、複数の映像信号の解像度とに基づいて決定した配置で、複数の映像信号に基づく画像データを出力する。
【００３５】
出力制御部１８０は、ＯＳＤ重畳部１８１、画面生成部１８２、操作受付部１８３及び選択制御部１８４を有している。
ＯＳＤ重畳部１８１は、画像結合部１４０が出力した画像データに、画面生成部１８２が生成する表示モード選択メニュー画面を重畳し、表示部１１０に出力する。
【００３６】
画面生成部１８２は、ユーザの操作を受け付けるための各種のメニューを構成するための各種パーツを保持しており、ユーザが表示モードを選択するための表示モード選択メニュー画面データを生成する。画面生成部１８２は、生成した画面データを、ＯＳＤ重畳部１８１を介して表示部１１０に出力する。画面生成部１８２は、例えば、表示モードの種別に応じて異なる態様で、一以上のグループから一つのグループを選択する操作を受け付けるための画面データを出力する。また、画面生成部１８２は、表示モードの種別が所定の条件を満たす一以上のグループを選択させるための操作用アイコン画像を含む画面データを出力する。
【００３７】
図３は、表示モードを選択するための表示モード選択メニュー画面の一例を示す図である。表示モード選択メニュー画面には、各グループに含まれる入力端子の数に対応する複数の表示モードの候補が示されている。表示モード選択メニュー画面は、表示モード選択肢３０１〜３１１と、選択カーソル３１２と、上ボタン３１３、下ボタン３１４、ＮＥＸＴボタン３１５及び決定ボタン３１６等の操作用アイコン画像と、を含んで構成されている。
【００３８】
図３における１入力モードＤＶＩ−Ａ３０１は、図２の表示モード識別子１Ａに対応する選択肢である。１入力モードＤＶＩ−Ｂ３０２は、図２の表示モード識別子１Ｂに対応する選択肢である。１入力モードＤＶＩ−Ｃ３０３は、図２の表示モード識別子１Ｃに対応する選択肢である。１入力モードＤＶＩ−Ｄ３０４は、図２の表示モード識別子１Ｄに対応する選択肢である。１入力モードＨＤＭＩ−Ｘ３０５は、図２の表示モード識別子１Ｘに対応する選択肢である。１入力モードＨＤＭＩ−Ｙ３０６は、図２の表示モード識別子１Ｙに対応する選択肢である。
【００３９】
左右２分割入力モードＤＶＩ−ＡＣ３０７は、図２の表示モード識別子２ＡＣに対応する選択肢である。左右２分割入力モードＤＶＩ−ＢＤ３０８は、図２の表示モード識別子２ＢＤに対応する選択肢である。左右２分割入力モードＨＤＭＩ−ＸＹ３０９は、図２の表示モード識別子２ＸＹに対応する選択肢である。短冊４分割入力モードＤＶＩ−ＡＢＣＤ３１０は、図２の表示モード識別子４ＳＴに対応する選択肢である。田の字４分割入力モードＤＶＩ−ＡＢＣＤ３１１は、図２の表示モード識別子４ＣＲに対応する選択肢である。
【００４０】
続いて、図３に示す複数の選択肢のうち、田の字４分割入力モードＤＶＩ−ＡＢＣＤ３１１を例にして、各選択肢に含まれているパーツについて説明する。田の字４分割入力モードＤＶＩ−ＡＢＣＤ３１１は、結合イメージアイコン３１７、解像度情報領域３１８、周波数情報領域３１９及び情報表示領域３２０を有する。
【００４１】
結合イメージアイコン３１７は、表示モードに対応する入力端子に入力される映像信号の結合イメージを示す画像である。画面生成部１８２は、端子属性メモリ１６０を参照し、推奨表示モードになっている入力端子に対応する結合イメージアイコン３１７の色を、推奨表示モードになっていない入力端子に対応する結合イメージアイコン３１７と異なる色で表示する。また、画面生成部１８２は、複数の入力端子から入力された映像信号に含まれる複数の画像データを結合する何れかの表示モードが準推奨表示モードとなっている場合、欠落している入力端子をユーザが識別できるように、欠落している入力端子のみ色を変更しないようにしてもよい。
【００４２】
解像度情報領域３１８は、グループの表示モードが推奨表示モード又は準推奨表示モードとなっている場合に、複数の画像データを結合した後の結合画像データの解像度を表示するための領域である。周波数情報領域３１９は、グループの表示モードが推奨表示モード又は準推奨表示モードとなっている場合に、結合画像データの周波数を表示するための領域である。
【００４３】
なお、画面生成部１８２は、１入力モードの３０１〜３０６の６行においては、推奨表示モード又は準推奨表示モードとなっていない場合にも、解像度と周波数の表示を行う画面を生成してもよい。画面生成部１８２は、その場合の結合イメージアイコン３１７の表示態様を、推奨表示モード又は準推奨表示モードにおける結合イメージアイコン３１７の表示態様と異なる態様にすることにより、使用者にその旨を認識しやすくすることが好ましい。
【００４４】
情報表示領域３２０は、入力端子に入力される映像信号に問題がある場合に、問題の内容を示す警告情報を表示する領域である。例えば、画面生成部１８２は、グループに含まれる映像信号の数が所定の数よりも少ない場合に、どの入力端子の映像信号が欠けているかを示す警告情報を含む画面データを生成する。また、画面生成部１８２は、グループに含まれる映像信号のうちの一部の映像信号の周波数又は解像度がずれている場合に、どの入力端子の映像信号の周波数又は解像度がずれているかを示す警告情報を含む画面データを生成する。
【００４５】
また、画面生成部１８２は、準推奨表示モードが、２つの入力端子の非対応組み合わせである２ＡＢ、２ＡＤ、２ＣＤのいずれかである場合、２分割入力モードＤＶＩ−ＡＣ３０７及びＤＶＩ−ＢＤ３０８の行に、非対応組合せであることを示す警告情報を含む画面を生成する。なお、１入力モードの３０１〜３０６の６行においては、一部の映像信号に問題があるという状況が発生しないので、画面生成部１８２は、情報表示領域３２０を表示しなくてもよい。
【００４６】
画面生成部１８２は、表示モード選択メニューを表示中に、ユーザが上ボタン３１３を押すと、上の行に選択カーソル３１２を移動させ、ユーザが下ボタン３１４を押すと、下の行に選択カーソル３１２を移動させ、ユーザがＮＥＸＴボタン３１５を押すと、次の推奨表示モードの行に選択カーソル３１２を移動させる。また、画面生成部１８２は、ユーザが決定ボタン３１６を押すと、選択カーソル３１２が表示されている行が適用されることを示すために、選択カーソル３１２が表示されている行の表示態様を変化させる。
【００４７】
操作受付部１８３は、表示モード選択メニュー画面に含まれる上ボタン３１３、下ボタン３１４、ＮＥＸＴボタン３１５又は決定ボタン３１６のいずれかをユーザが選択する操作を受け付ける。操作受付部１８３は、受け付けた操作の内容を示す情報を選択制御部１８４に通知する。なお、選択画面に含まれる上記のボタンは例示的なものであり、選択画面が他の操作用ボタンを有していてもよい。
【００４８】
選択制御部１８４は、各入力端子に関連付けられているパラメータを端子属性メモリ１６０から読み出し、推奨表示モード判定部１７０が決定した推奨表示モード及び準推奨表示モードの内容に基づいて、表示部１１０に表示するパラメータに対応する情報を画面生成部１８２へと出力する。また、選択制御部１８４は、操作受付部１８３から、ユーザが選択した表示モードの通知を受けると、選択された表示モードを特定するための情報を画像結合部１４０に対して通知する。
【００４９】
［推奨表示モード判定のフロー］
次に、推奨表示モード判定部１７０において実行される推奨表示モード判定フローについて説明する。
図４〜図８は、推奨表示モード判定部１７０が実行する推奨表示モード判定フローを示す図である。説明を簡単にするために、本実施形態においては、ＤＶＩとＨＤＭＩは同一グループにはならない前提として説明するが、ＤＶＩとＨＤＭＩとが同一グループに混在してもよい。
【００５０】
まず、図４を参照しながら、推奨表示モード判定フローの全体の流れについて説明する。
推奨表示モード判定部１７０は、ステップＳ１１において、端子属性メモリ１６０に保存するパラメータの定義を行う。パラメータには、推奨／準推奨表示モードＲＤＭ変数、水平解像度Ｈｔｔｌ変数、垂直解像度Ｖｔｔｌ変数及び降格理由ＲＳＮが含まれる。
【００５１】
推奨／準推奨表示モードＲＤＭ変数は、要素数２の配列である。２つの要素のうち、添え字が０の要素であるＲＤＭ［０］には推奨表示モードに対応する表示モード識別子が格納され、添え字が１の要素であるＲＤＭ［１］には準推奨表示モードに対応する表示モード識別子が格納される。
水平解像度Ｈｔｔｌ変数は、要素数２の配列で、添え字０の要素Ｈｔｔｌ［０］には推奨表示モードの結合後の水平解像度が格納され、添え字１の要素Ｈｔｔｌ［１］には準推奨表示モードの結合後の水平解像度が格納される。
【００５２】
垂直解像度Ｖｔｔｌ変数は、要素数２の配列で、添え字０の要素Ｖｔｔｌ［０］には推奨表示モードの垂直解像度が格納され、添え字１の要素Ｖｔｔｌ［１］には準推奨表示モードの結合後の垂直解像度が格納される。
降格理由ＲＳＮには、準推奨表示モードが存在する場合に、その降格理由が格納される。
【００５３】
続いて、推奨表示モード判定部１７０は、ステップＳ１２〜Ｓ１８で、所属グループ識別子に対応するグループごとに、順次、推奨表示モード又は準推奨表示モードの有無を探索する。そして、推奨表示モード判定部１７０は、未探索グループがなくなった場合（Ｓ１９においてＮＯ）、探索を終了する。推奨表示モード判定部１７０は、未探索グループが残っている場合（Ｓ１９においてＹＥＳ）、ステップＳ２０において次の探索グループに遷移して、ステップＳ１２から探索動作を継続する。
【００５４】
以下の説明において、推奨表示モード又は準推奨表示モードの有無を探索する対象となるグループを探索グループと称する。推奨表示モード判定部１７０は、１つの探索グループの処理をステップＳ１２〜Ｓ１８で実行し、探索グループに所属する全入力端子の推奨表示モード及び準推奨表示モードの有無を判定し、判定結果に基づいて端子属性メモリ１６０を更新する。
【００５５】
推奨表示モード判定部１７０は、ステップＳ１２において、探索グループに所属している入力端子が、ＤＶＩ−Ａ１２１、ＤＶＩ−Ｂ１２２、ＤＶＩ−Ｃ１２３、ＤＶＩ−Ｄ１２４の４つの入力端子であるかどうかを判定する。推奨表示モード判定部１７０は、ステップＳ１２における判定結果がＹＥＳの場合はステップＳ１３の表示モード判定フロー１（図５に示す判定フロー）を実行し、判定結果がＮＯの場合はステップＳ１４を実行する。
【００５６】
推奨表示モード判定部１７０は、ステップＳ１４において、探索グループに所属している入力端子が、ＤＶＩ−Ａ１２１、ＤＶＩ−Ｂ１２２、ＤＶＩ−Ｃ１２３、ＤＶＩ−Ｄ１２４の４つの入力端子のうちの３つの入力端子であるかどうかを判定する。推奨表示モード判定部１７０は、ステップＳ１４における判定結果がＹＥＳの場合はステップＳ１５の表示モード判定フロー２（図６に示す判定フロー）を実行し、判定結果がＮＯの場合はステップＳ１６を実行する。
【００５７】
推奨表示モード判定部１７０は、ステップＳ１６において、探索グループに所属している入力端子が、２つの入力端子であるかどうかを判定する。推奨表示モード判定部１７０は、ステップＳ１６における判定結果がＹＥＳの場合はステップＳ１７の表示モード判定フロー３（図７に示す判定フロー）を実行し、判定結果がＮＯの場合はステップＳ１８の表示モード判定フロー４（図８に示す判定フロー）を実行する。
以下、図５〜図８を参照しながら、表示モード判定フロー１〜表示モード判定フロー４について説明する。
【００５８】
図５は、表示モード判定フロー１の詳細を示す図である。推奨表示モード判定部１７０は、ステップＳ１３１において、４つの所属端子の水平解像度を合計した値が、表示部１１０の水平解像度以下かどうかを判定する。推奨表示モード判定部１７０は、ステップＳ１３１における判定結果がＹＥＳの場合はステップＳ１３２を実行し、判定結果がＮＯの場合はステップＳ１３３を実行する。
【００５９】
推奨表示モード判定部１７０は、ステップＳ１３２において、推奨表示モードが短冊４分割入力モードであると判定し、ＲＤＭ［０］に、短冊４分割入力モードに対応する表示モード識別子４ＳＴを格納する。推奨表示モード判定部１７０は、Ｈｔｔl［０］に、ＤＶＩ−Ａ１２１〜ＤＶＩ−Ｄ１２４の各水平解像度の合計値を格納し、Ｖｔｔl［０］に、ＤＶＩ−Ａ１２１〜ＤＶＩ−Ｄ１２４の各垂直解像度の中の最大値を格納する。
【００６０】
推奨表示モード判定部１７０は、ステップＳ１３３において、推奨表示モードが田の字４分割入力モードであると判定し、ＲＤＭ［０］には、田の字４分割入力モードに対応する表示モード識別子４ＣＲを格納する。推奨表示モード判定部１７０は、Ｈｔｔl［０］に、ＤＶＩ−Ａ１２１とＤＶＩ−Ｂ１２２の各水平解像度の大きい方の値に、ＤＶＩ−Ｃ１２３とＤＶＩ−Ｄ１２４の各水平解像度の大きい方の値を足した値を格納する。推奨表示モード判定部１７０は、Ｖｔｔl［０］に、ＤＶＩ−Ａ１２１とＤＶＩ−Ｂ１２２の各水平解像度の合計値と、ＤＶＩ−Ｃ１２３とＤＶＩ−Ｄ１２４の各水平解像度の合計値の大きい方の値を格納する。
推奨表示モード判定部１７０は、ステップＳ１３４において、準推奨表示モードは存在しないと判定し、ＲＤＭ［１］、Ｈｔｔl［１］、Ｖｔｔl［１］に０を格納する。
【００６１】
図６は、表示モード判定フロー２の詳細を示す図である。推奨表示モード判定部１７０は、探索グループに３つの入力端子が所属する場合、ステップＳ１５１において、探索グループに所属する３つの入力端子の推奨表示モードが１入力モードであると判定する。推奨表示モード判定部１７０は、探索グループに所属する入力端子に対応するＲＤＭ［０］に、表示モード識別子１Ａ、１Ｂ、１Ｃ、１Ｄのいずれかを格納する。推奨表示モード判定部１７０は、Ｈｔｔｌ［０］及びＶｔｔl［０］に、探索グループに所属する入力端子の入力解像度をそれぞれ格納する。
【００６２】
推奨表示モード判定部１７０は、ステップＳ１５２において、探索グループに所属していないＤＶＩ端子の周波数が探索グループの周波数から所定の範囲内かどうかを判定する。推奨表示モード判定部１７０は、ステップＳ１５２における判定結果がＹＥＳの場合はステップＳ１５３を実行し、判定結果がＮＯの場合はステップＳ１５６を実行する。推奨表示モード判定部１７０は、ステップＳ１５６において、準推奨表示モードは存在しないと判定し、ＲＤＭ［１］、Ｈｔｔl［１］、Ｖｔｔl［１］に０を格納する。
【００６３】
推奨表示モード判定部１７０は、ステップＳ１５３において、探索グループに所属していないＤＶＩ端子を含めた４つの入力端子において、ステップＳ１３１と同様に、４つの所属端子の水平解像度を合計した値が、表示部１１０の水平解像度以下かどうかを判定する。推奨表示モード判定部１７０は、ステップＳ１５３における判定結果がＹＥＳの場合はＳ１５４を実行し、判定結果がＮＯの場合はＳ１５５を実行する。
【００６４】
推奨表示モード判定部１７０は、ステップＳ１５４及びＳ１５５において、探索グループに所属していないＤＶＩ端子を含めた４つの入力端子に対して、それぞれステップＳ１３２及びＳ１３３と同じ演算を行い、結果をＲＤＭ［１］、Ｈｔｔl［１］、Ｖｔｔl［１］に格納する。推奨表示モード判定部１７０は、探索グループに準推奨表示モードが割り当てられている場合、ステップＳ１５４及びＳ１５５において準推奨表示モードに降格している理由は、４つの入力端子に入力された映像信号の周波数が同期していないことであるため、ＲＳＮには、非同期であることを示す情報を格納する。
【００６５】
図７は、表示モード判定フロー３の詳細を示す図である。推奨表示モード判定部１７０は、探索グループに２つの入力端子が所属している場合、ステップＳ１７１において、探索グループに所属している２つの入力端子の組み合わせが、画像結合部１４０で対応可能な組み合わせかどうかを判定する。推奨表示モード判定部１７０は、ステップＳ１７１における判定結果がＹＥＳの場合はステップＳ１７２を実行し、判定結果がＮＯの場合はステップＳ１７４を実行する。
【００６６】
推奨表示モード判定部１７０は、ステップＳ１７２において、推奨表示モードが左右２分割入力モードであると判定し、ＲＤＭ［０］に、探索グループに所属する２つの入力端子の組み合わせに応じて、表示モード識別子２ＡＣ、２ＢＤ、２ＸＹのいずれかを格納する。推奨表示モード判定部１７０は、Ｈｔｔl［０］に、探索グループに所属する２つの入力端子の各水平解像度の合計値を格納し、Ｖｔｔl［０］に、探索グループに所属する２つの入力端子の各垂直解像度が大きい方の値を格納する。
推奨表示モード判定部１７０は、ステップＳ１７３において、準推奨表示モードが存在しないと判定し、ＲＤＭ［１］、Ｈｔｔl［１］、Ｖｔｔl［１］に０を格納する。
【００６７】
推奨表示モード判定部１７０は、ステップＳ１７４において、探索グループに所属する２つの入力端子の推奨表示モードが１入力モードであると判定し、該当する入力端子に対応するＲＤＭ［０］に、表示モード識別子１Ａ、１Ｂ、１Ｃ、１Ｄのいずれかを格納する。推奨表示モード判定部１７０は、Ｈｔｔｌ［０］及びＶｔｔl［０］に、該当する入力端子に入力される画像データの水平解像度及び垂直解像度のそれぞれを格納する。
【００６８】
推奨表示モード判定部１７０は、ステップＳ１７５において、探索グループに所属する２つの入力端子の準推奨表示モードが左右２分割入力モードであると判定し、ステップＳ１７２と同じ演算を行い、結果をＲＤＭ［１］、Ｈｔｔl［１］、Ｖｔｔl［１］に格納する。この場合の準推奨表示モードに降格している理由は、端子組み合わせが非対応組み合わせであるため、推奨表示モード判定部１７０は、非対応組み合わせであることを示す情報をＲＳＮに格納する。
【００６９】
図８は、表示モード判定フロー４の詳細を示す図である。推奨表示モード判定部１７０は、探索グループに所属している端子数が１つであり、推奨表示モードが１入力モードである場合、ステップＳ１８１において、入力端子に対応するＲＤＭ［０］に、表示モード識別子１Ａ、１Ｂ、１Ｃ、１Ｄ、１Ｘ、１Ｙのいずれかを格納する。また、推奨表示モード判定部１７０は、入力端子に対応するＨｔｔｌ［０］及びＶｔｔl［０］に、それぞれの入力端子の入力解像度をそれぞれ格納する。推奨表示モード判定部１７０は、ステップＳ１８２において、準推奨表示モードは存在しないと判定し、ＲＤＭ［１］、Ｈｔｔl［１］、Ｖｔｔl［１］に０を格納する。
【００７０】
推奨表示モード判定部１７０が以上の処理を実行することにより、端子属性メモリ１６０の全てのパラメータが適切に更新された状態となる。なお、以上の説明において、推奨表示モード判定部１７０は、短冊４分割入力モード及び田の字４分割入力モードにおいて、１端子だけ同期がずれてしまっている状態を準推奨表示モードとしているにもかかわらず、左右２分割入力モードでは、同期がずれてしまっている状態を準推奨表示モードとしていない。これは、４分割入力モードにおいて３つの入力端子が同期している場合、残りの１端子が設定ミスである可能性が高いが、２分割入力モードにおいては、残りの１端子が設定ミスである可能性が高いとは言えないためである。
【００７１】
［実施例］
続いて、実際に映像信号が入力された場合の端子属性メモリ１６０と表示グループ選択メニューの動作について、４つの例で説明する。
（実施例１）
図９は、推奨表示モード判定部１７０が、実施例１の条件で図４〜図８の推奨表示モード判定フローを実行することにより端子属性メモリ１６０に格納される端子属性テーブルを示す図である。図１０は、図４〜図８の推奨表示モード判定フローを実行した後の状態での表示モード選択メニューを示す図である。
【００７２】
実施例１における映像信号は、ＤＶＩ−Ａ１２１、ＤＶＩ−Ｂ１２２、ＤＶＩ−Ｃ１２３、ＤＶＩ−Ｄ１２４の４つの入力端子に入力される。各映像信号は、解像度が１９２０×１０８０であり、周波数が６０．０００１Ｈｚである。さらに、ＨＤＭＩ−Ｘ１２５、ＨＤＭＩ−Ｙ１２６の２つの入力端子には、共に解像度が１９２０×２１６０で周波数が５９．９４００Ｈｚの映像信号が入力されている。
【００７３】
ＤＶＩ−Ａ１２１、ＤＶＩ−Ｂ１２２、ＤＶＩ−Ｃ１２３、ＤＶＩ−Ｄ１２４の４つの入力端子に入力される各映像信号は周波数が等しいため、グループ判定部１５０は、これらの４つの入力端子が同一グループに属すると判定し、所属グループ識別子としてグループ１を割り当てる。また、ＨＤＭＩ−Ｘ１２５、ＨＤＭＩ−Ｙ１２６の２つの入力端子に入力されている各映像信号も周波数が等しいため、グループ判定部１５０は、これらの２つの入力端子が同一グループに属すると判定し、所属グループ識別子としてグループ２を割り当てる。
【００７４】
図１０においては、推奨表示モードである、左右２分割入力モードＨＤＭＩ−ＸＹ５０１と田の字４分割入力モードＤＶＩ−ＡＢＣＤ５０２の２行の結合イメージアイコンが白背景となっている。また、１入力モードの各行のアイコンは灰色になっており、推奨表示モードではないが、映像信号が入力されていることを示している。また、灰色のアイコンの右側には、映像信号に関する情報が示されている。図１０に示すメニューが表示されている状態でユーザがＮＥＸＴボタンを押した場合、ＮＥＸＴボタンが押されるたびに、選択カーソルが推奨表示モードである左右２分割入力モードＨＤＭＩ−ＸＹ５０１と田の字４分割入力モードＤＶＩ−ＡＢＣＤ５０２とを順次移動して、選択可能な状態になる。
【００７５】
（実施例２）
図１１は、推奨表示モード判定部１７０が、実施例２の条件で図４〜図８の推奨表示モード判定フローを実行することにより端子属性メモリ１６０に格納される端子属性テーブルを示す図である。図１２は、図４〜図８の推奨表示モード判定フローを実行した後の状態での表示モード選択メニューを示す図である。
【００７６】
実施例２において入力される映像信号は、実施例１の映像信号とほぼ同じであるが、ＤＶＩ−Ｄ１２４の映像信号の周波数が６０．００５０Ｈｚとなっている点のみが異なっている。ＤＶＩ−Ａ１２１、ＤＶＩ−Ｂ１２２、ＤＶＩ−Ｃ１２３の３つの入力端子間で周波数が等しいため、グループ判定部１５０は、これらの３つの入力端子が同一グループであると判定し、所属グループ識別子としてグループ１を割り当てる。ＤＶＩ−Ｄ１２４は、周波数が若干ずれていることにより、グループ１と異なるグループであると判定され、所属グループ識別子としてグループ２が割り振られる。また、ＨＤＭＩ−Ｘ１２５及びＨＤＭＩ−Ｙ１２６も２つの入力端子間で周波数が等しいため、同一グループと判定され、所属グループ識別子としてグループ３が割り当てられる。
【００７７】
図１２においては、推奨表示モードである、１入力モードＤＶＩ−Ａ６０１、ＤＶＩ−Ｂ６０２、ＤＶＩ−Ｃ６０３、ＤＶＩ−Ｄ６０４、及び左右２分割入力モードＨＤＭＩ−ＸＹ６０５の５行の結合イメージアイコンが白背景となっている。また、準推奨表示モードである、田の字４分割入力モードＤＶＩ−ＡＢＣＤ６０６の結合イメージアイコンは、同期しているＤＶＩ−Ａ１２１、ＤＶＩ−Ｂ１２２、ＤＶＩ−Ｃ１２３を示す部分が白背景となっており、非同期であるＤＶＩ−Ｄ１２４はグレー背景となっている。
【００７８】
さらに、図１２においては、ＤＶＩ−Ｄが非同期である旨が情報欄６０７に示されている。また、１入力モードＨＤＭＩ−ＸとＨＤＭＩ−Ｙの行のアイコンは灰色になっており、推奨表示モードではないが、映像信号が入力されている映像信号に関する情報とが表示されている。図１２に示すメニューを表示している状態でユーザがＮＥＸＴボタンを押した場合、選択カーソルは、推奨表示モードである１入力モードＤＶＩ−Ａ６０１、ＤＶＩ−Ｂ６０２、ＤＶＩ−Ｃ６０３、ＤＶＩ−Ｄ６０４、及び左右２分割入力モードＨＤＭＩ−ＸＹ６０５の５つの表示モードを順次移動して、いずれかを選択可能な状態になる。
【００７９】
（実施例３）
図１３は、推奨表示モード判定部１７０が、実施例３の条件で図４〜図８の推奨表示モード判定フローを実行することにより端子属性メモリ１６０に格納される端子属性テーブルを示す図である。図１４は、図４〜図８の推奨表示モード判定フローを実行した後の状態での表示モード選択メニューを示す図である。
【００８０】
実施例３においては、ＤＶＩ−Ａ１２１及びＤＶＩ−Ｂ１２２の２つの入力端子に、解像度が１９２０×１２００で周波数が５９．９５０２Ｈｚの映像信号が入力され、ＤＶＩ−Ｃ１２３及びＤＶＩ−Ｄ１２４の２つの入力端子に、解像度が１２８０×１６００で周波数が５９．９７１９Ｈｚの映像信号が入力されている。さらに、ＨＤＭＩ−Ｘ１２５及びＨＤＭＩ−Ｙ１２６の２つの入力端子には、解像度が１９２０×２１６０で周波数が５９．９４００Ｈｚの映像信号が入力されている。
【００８１】
ＤＶＩ−Ａ１２１及びＤＶＩ−Ｂ１２２の２つの入力端子に入力される映像信号は周波数が等しいため、グループ判定部１５０は、これらの２つの入力端子が同一グループであると判定し、所属グループ識別子としてグループ１を割り当てる。ＤＶＩ−Ｃ１２３、ＤＶＩ−Ｄ１２４は２つの入力端子間で周波数が等しいため、グループ判定部１５０は、これらの２つの入力端子が同一グループであると判定し、所属グループ識別子としてグループ２を割り当てる。また、ＨＤＭＩ−Ｘ１２５及びＨＤＭＩ−Ｙ１２６の２つの入力端子に入力される映像信号も周波数が等しいため、グループ判定部１５０は、同一グループと判定し、所属グループ識別子としてグループ３を割り当てる。
【００８２】
図１４においては、推奨表示モードである１入力モードＤＶＩ−Ａ７０１、ＤＶＩ−Ｂ７０２、ＤＶＩ−Ｃ７０３、ＤＶＩ−Ｄ７０４、左右２分割入力モードＨＤＭＩ−ＸＹ７０９の５行の結合イメージアイコンが白背景となっている。また、１入力モードＨＤＭＩ−Ｘ７０５及びＨＤＭＩ−Ｙ７０６の２行のアイコンは灰色になっており、推奨表示モードではないが、映像信号が入力されていることを示している。
【００８３】
左右２分割入力モードＤＶＩ−ＡＣ７０７及びＤＶＩ−ＢＤ７０８には準推奨表示モードが存在し、正しく接続するための情報として、降格理由が非対応組み合わせとなっていることが情報欄に記載されている。結合イメージアイコンは、ユーザが、問題があることを認識できるように黒色となっている。選択カーソル３１２が左右２分割入力モードに当たっている状態でＮＥＸＴボタン３１５が押されると、選択カーソル３１２は、推奨表示モードの入力モードに移動する。具体的には、選択カーソルは、１入力モードＤＶＩ−Ａ７０１、ＤＶＩ−Ｂ７０２、ＤＶＩ−Ｃ７０３、ＤＶＩ−Ｄ７０４、左右２分割入力モードＨＤＭＩ−ＸＹ７０９の５行を順次移動する。
【００８４】
（実施例４）
図１５は、推奨表示モード判定部１７０が、実施例４の条件で図４〜図８の推奨表示モード判定フローを実行することにより端子属性メモリ１６０に格納される端子属性テーブルを示す図である。図１６は、図４〜図８の推奨表示モード判定フローを実行した後の状態での表示モード選択メニューを示す図である。
【００８５】
実施例４においては、ＤＶＩ−Ａ１２１、ＤＶＩ−Ｂ１２２、ＤＶＩ−Ｃ１２３の３つの入力端子に、解像度が１９２０×１０８０で、周波数が、それぞれ６０．００００、６０．０００１、６０．０００２、６０．０００３Ｈｚの映像信号が入力されている。ＨＤＭＩ−Ｘ１２５、ＨＤＭＩ−Ｙ１２６には映像信号が入力されていない。ＤＶＩ−Ａ１２１、ＤＶＩ−Ｂ１２２、ＤＶＩ−Ｃ１２３、ＤＶＩ−Ｄ１２４の４つの入力端子は、それぞれに入力される映像信号の周波数が異なるため、グループ判定部１５０は、これらの４つの入力端子を異グループであると判定し、所属グループ識別子としてグループ１〜４を割り当てる。
【００８６】
図１６においては、推奨表示モードである１入力モードＤＶＩ−Ａ８０１、ＤＶＩ−Ｂ８０２、ＤＶＩ−Ｃ８０３、ＤＶＩ−Ｄ８０４の４行の結合イメージアイコンが白背景となっている。このメニューを表示している状態で、ユーザがＮＥＸＴボタンを押すと、選択カーソルは、推奨表示モードである、１入力モードＤＶＩ−Ａ８０１、ＤＶＩ−Ｂ８０２、ＤＶＩ−Ｃ８０３、ＤＶＩ−Ｄ８０４の４行を順次移動する。
【００８７】
［第１の実施形態の表示装置１による効果］
以上説明したように、表示装置１は、複数の入力端子に入力される複数の映像信号それぞれの特性を検出し、グループ判定部１５０において、検出した特性に基づいて、複数の映像信号を一以上のグループに分類する。そして、表示装置１は、一以上のグループに関連付けられた表示モードを示す表示モード選択メニュー画面を表示部１１０に表示する。このようにすることで、複数の映像信号が表示装置１に入力されている場合に、ユーザが、どのような表示が可能であるかを容易に把握することが可能になる。
【００８８】
また、表示モード選択メニュー画面には、入力された映像信号が表示に適している場合に、その映像信号が属するグループが推奨表示モードに対応することが表示される。したがって、ユーザは、表示する対象となるグループとして、推奨表示モードであることが示されているグループを選択することで、表示に適している複数の映像信号を容易に表示させることが可能になる。
【００８９】
＜第２の実施形態＞
第１の実施形態の表示装置１は、複数の入力端子から入力された複数の映像信号に基づく画像データを画面に表示する際の配置が、予め定められていた。これに対して、第２の実施形態の表示装置２は、映像信号に含まれる画像データに基づいて、複数の画像データの配置を決定する点で第１の実施形態と異なる。
【００９０】
図１７は、第２の実施形態の表示装置２の構成を示す図である。本実施形態の画像結合部１４０は、配置判定部１４６をさらに有する点で、第１の実施形態の画像結合部１４０と異なる。
【００９１】
配置判定部１４６は、選択制御部１８４から、ユーザにより選択された表示モードを特定するための情報、及び映像入力部１２０から入力された複数の映像信号に基づいて、表示する対象の複数の画像データの配置を判定し、判定結果を結合制御部１４３に通知する。二次画像結合部１４２は、結合制御部１４３の制御に基づいて、配置判定部１４６が判定した結果に基づく配置で複数の画像データが結合された合成画像データを出力制御部１８０に出力する。出力制御部１８０が、合成画像データに操作メニュー等の画面データを重畳して表示部１１０に出力する点は、第１の実施形態と同じである。
【００９２】
出力制御部１８０は、配置判定部１４６において、ユーザにより選択されたグループに含まれる複数の映像信号に基づく複数の画像データの外周から所定の範囲内の画素データの相関関係に基づいて決定した位置に複数の画像データを配置した画面を生成して、表示部１１０に出力する。配置判定部１４６は、例えば、複数の画像データそれぞれの外周に最も近い画素同士の画素値を比較し、同一の画素値を有する画素数が最も多くなる位置に複数の画像データを配置する。
【００９３】
具体的には、配置判定部１４６は、以下の手順によって複数の画像データの配置を決定する。まず、配置判定部１４６は、選択されたグループに含まれる複数の画像データから一つの第１画像データを選択する。次に、配置判定部１４６は、選択した第１画像データの一辺を選択し、選択した一辺の外周に最も近い複数の画素の第１画素値を特定する。続いて、配置判定部１４６は、選択した一辺に接する可能性がある他の画像データの一辺の外周に最も近い複数の画素の第２画素値を特定し、第１画像データの複数の第１画素値と他の画像データの複数の第２画素値とを比較する。
【００９４】
配置判定部１４６は、複数の他の画像データのうち、複数の第１画素値と複数の第２画素値とが一致する画素の数が最も多い画像データが、選択した一辺に接する画像データであると判定する。配置判定部１４６は、第１画像データの全ての辺に対して、同様の処理を行うことにより、各辺に接する画像データを特定する。このようにすることで、配置判定部１４６は、複数の画像データの配置を決定することができる。
【００９５】
図１８は、配置判定部１４６が、画素の連続性に基づいて４つの画像データの配置を決定する処理の例を示す図である。図１８（ａ）には、４つの画像データが独立した状態で示されている。配置判定部１４６は、４つの画像データの各辺の外周の近傍の画素値が一致する確率に基づいて、図１８（ｂ）のように４つの画像データを配置することができる。
【００９６】
また、画像データが動画である場合、配置判定部１４６は、ユーザにより選択されたグループに含まれる複数の映像信号に基づく複数の画像データに含まれるオブジェクトの動きに基づいて決定した位置に複数の画像データを配置した画面を生成し、生成した画面を表示部１１０に出力してもよい。この場合、配置判定部１４６は、例えば、画面データに含まれるオブジェクトの移動方向を特定し、特定した移動方向に基づいて、画面データの配置を決定する。
【００９７】
具体的には、配置判定部１４６は、以下の手順によって複数の画像データの配置を決定する。まず、配置判定部１４６は、選択されたグループに含まれる複数の画像データから一つの第１画像データを選択する。次に、配置判定部１４６は、選択した第１画像データにおいて所定の周波数よりも高い成分を抽出することによりエッジ領域を検出することで、第１画像データに含まれているオブジェクトを特定する。続いて、配置判定部１４６は、複数の時間に取得された複数の第１画像データにおいて特定したオブジェクトの位置に基づいて、オブジェクトの移動方向を特定する。
【００９８】
続いて、配置判定部１４６は、特定したオブジェクトが第１画像データの領域外に移動するタイミング後の複数の画像データにおいて、同一のオブジェクトを探索する。配置判定部１４６は、第１画像データで特定されたオブジェクトと同一のオブジェクトが特定された画像データを、オブジェクトの移動方向に基づいて定められる位置に配置する。具体的には、配置判定部１４６は、第１画像データにおいてオブジェクトが移動していた向きの延長線が含まれる位置に、同一のオブジェクトが特定された画像データを配置する。
【００９９】
図１９は、配置判定部１４６が、オブジェクトの動きに基づいて４つの画像データの配置を決定する処理の例を示す図である。図１９（ａ）においては、時間の経過とともに、ＤＶＩ−Ａの画像データ内を六角形が右方向に移動し、ＤＶＩ−Ａの画像データから六角形が消えた後にＤＶＩ−Ｃの画像データ内を六角形が右方向に移動している。また、ＤＶＩ−Ｃの画像データ内を星が右下方向に移動し、ＤＶＩ−Ｃの画像データから星が消えた後にＤＶＩ−Ｄの画像データ内を星が右下方向に移動している。このような場合、配置判定部１４６は、図１９（ｂ）に示すように４つの画像データの配置を決定することができる。
【０１００】
［第２の実施形態の表示装置２による効果］
以上説明したように、第２の実施形態の表示装置２においては、配置判定部１４６が、画像データに含まれる画素値の連続性又は画像データに含まれるオブジェクトの動きに基づいて、複数の画像データの配置を決定する。このようにすることで、表示装置２は、ユーザが、一つの画面を構成する複数の映像信号をどの入力端子に入力させるかを意識することなく、複数の映像信号に基づく複数の画像データを適切な配置で表示させることができる。
【０１０１】
［変形例１］
上記の説明では、複数の信号源から入力された複数の映像信号に基づく画像データを同時に表示するモードが考慮されていなかったが、表示装置１及び表示装置２は、複数の信号源から入力された複数の映像信号に基づく画像データを同時に表示するモードを有してもよい。表示装置１及び表示装置２は、例えば、４つの入力端子から入力された４つの映像信号を一画面に表示するＤＶＩ４入力モードに対応している。ＤＶＩ４入力モードにおいては、表示部１１０が田の字状に４分割され、左上にＤＶＩ−Ａ１２１、左下にＤＶＩ−Ｂ１２２、右上にＤＶＩ−Ｃ１２３、右下にＤＶＩ−Ｄ１２４から入力された映像信号に基づく画像データを、それぞれの領域の中央に表示する。
【０１０２】
推奨表示モード判定部１７０は、検出部１３０が、ＤＶＩ−Ａ１２１〜ＤＶＩ−Ｄ１２４が全て異グループであると判定した場合に、ＤＶＩ４入力モードが推奨表示モードであると判定する。すなわち、複数の映像信号の組み合わせが図１５に示す状態である場合に、推奨表示モード判定部１７０は、ＤＶＩ４入力モードが推奨表示モードであると判定する。
なお、表示装置１及び表示装置２は、ＤＶＩ端子から入力された複数の映像信号とＨＤＭＩ端子から入力された複数の映像信号に基づく画像データを、複数の領域に表示するようにしてもよい。
【０１０３】
［変形例２］
上記の説明では、電子機器として表示装置１及び表示装置２を例示したが、本発明の電子機器は表示装置１及び表示装置２に限定されない。例えば、図１に示した表示装置１及び表示装置２における表示部１１０以外の構成を有するコンピューター又はコントローラ等も本発明の電子機器に含まれる。このようなコンピューター又はコントローラは、映像信号を伝送可能なケーブルによりディスプレイに接続され、出力制御部１８０からディスプレイに対して、映像信号に含まれる画像データを出力する。また、コンピューター又はコントローラは、画像データを出力するディスプレイ、又は自身が有するディスプレイや発光素子等の表示デバイスに、表示モード選択メニュー画面を出力する。
【０１０４】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【０１０５】
１  表示装置
１２０  映像入力部
１３０  検出部
１５０  グループ判定部
１８０  出力制御部
【図１】
0006742816.tif 000002
【図２】
0006742816.tif 000003
【図３】
0006742816.tif 000004
【図４】
0006742816.tif 000005
【図５】
0006742816.tif 000006
【図６】
0006742816.tif 000007
【図７】
0006742816.tif 000008
【図８】
0006742816.tif 000009
【図９】
0006742816.tif 000010
【図１０】
0006742816.tif 000011
【図１１】
0006742816.tif 000012
【図１２】
0006742816.tif 000013
【図１３】
0006742816.tif 000014
【図１４】
0006742816.tif 000015
【図１５】
0006742816.tif 000016
【図１６】
0006742816.tif 000017
【図１７】
0006742816.tif 000018
【図１８】
0006742816.tif 000019
【図１９】
0006742816.tif 000020